(57)【要約】【課題】振込手続きを容易にし、休眠口座の発生を抑制することができる振込処理方法、情報処理装置及びコンピュータプログラムを提供する。【解決手段】貯蓄機能を有する口座に対応して貯蓄機能を有さない仮想口座を記憶し、該仮想口座を振込先とする複数の振込人からの振込を受け付け、前記仮想口座から前記口座を特定し、特定した前記口座に対して、前記振込に対応する振込処理を行う処理をコンピュータに実行させる振込処理方法。【選択図】図１
2020021271.tif 000002
【特許請求の範囲】
【請求項１】
貯蓄機能を有する口座に対応して貯蓄機能を有さない仮想口座を記憶し、
該仮想口座を振込先とする複数の振込人からの振込を受け付け、
前記仮想口座から前記口座を特定し、
特定した前記口座に対して、前記振込に対応する振込処理を行う
処理をコンピュータに実行させる振込処理方法。
【請求項２】
前記仮想口座は複数の口座に対応付けられており、
前記複数の口座の内、前記振込処理が行われる一の口座を特定するルールを記憶し、
前記仮想口座への振込を受け付けた場合、前記ルールに従って前記口座に振込を行う請求項１に記載の振込処理方法。
【請求項３】
各口座と、前記振込人を識別する情報、又は前記振込処理における金額、日時若しくはキーワードとを対応付けるルールを記憶する請求項２に記載の振込処理方法。
【請求項４】
前記口座は所定期間存続した後に閉鎖される期限付き口座である請求項１から請求項３までのいずれか一項に記載の振込処理方法。
【請求項５】
貯蓄機能を有する口座に対応して貯蓄機能を有さない仮想口座を記憶する記憶部と、
前記仮想口座を振込先とする複数の振込人からの振込を受け付ける受付部と、
前記仮想口座から前記口座を特定する特定部と、
該特定部が特定した前記口座に対しての前記振込に対応する振込処理に係る情報を出力する出力部と
を備える情報処理装置。
【請求項６】
コンピュータに、
貯蓄機能を有する口座に対応する貯蓄機能を有しない仮想口座の登録を受け付け、
前記仮想口座を振込先とする複数の振込人からの振込が行われた後に、振込が反映された前記口座の残高を表示する
処理を実行させるコンピュータプログラム。
【請求項７】
前記仮想口座は複数の口座に対応付けられており、
前記仮想口座からの振込処理が行われる一の口座を特定するルールの設定を受け付ける
処理を実行させる請求項６に記載のコンピュータプログラム。
【請求項８】
各口座と、前記振込人を識別する情報、又は前記振込処理における金額、日時若しくはキーワードとを対応付けるルールの設定を受け付ける請求項７に記載のコンピュータプログラム。
【請求項９】
前記口座は所定期間存続した後に閉鎖される期限付き口座が含まれる請求項６に記載のコンピュータプログラム。
【請求項１０】
前記期限付き口座の閉鎖処理を受け付ける処理を実行させる請求項９に記載のコンピュータプログラム。
【請求項１１】
前記仮想口座の名義と、振込先口座とを含む振込依頼情報を受け付け、
前記仮想口座を介した前記振込先口座への振込処理を行う
処理を実行させる請求項６から請求項１０のいずれか一つに記載のコンピュータプログラム。
【請求項１２】
前記振込先口座への振込処理に伴って前記仮想口座に係る識別情報を出力する
処理を実行させる請求項１１に記載のコンピュータプログラム。
【発明の詳細な説明】
【技術分野】
【０００１】
本開示は、振込処理方法、情報処理装置及びコンピュータプログラム等に関する。
【背景技術】
【０００２】
銀行等の金融機関における利用者の振込取引を簡素化する種々の技術が開発されている（例えば、特許文献１）。ここで、振込取引において利用する口座は、同一の名義人が、用途に応じて複数の金融機関夫々で開設する場合がある。複数の金融機関の口座を有する利用者に他人から金銭を振り込む場合に、複数の口座の中から一つを選択し、選択した金融機関の口座番号等を他人に通知する。また、所有していない金融機関の口座がある用途のために必要となった場合、該口座を一つの用途のためだけに開設する場合がある。
【先行技術文献】
【特許文献】
【０００３】
【特許文献１】特開２００６−０３９８５８号公報
【発明の概要】
【発明が解決しようとする課題】
【０００４】
しかしながら、振込を行う他人ごとに口座を指定する場合、その管理が煩雑となるという問題がある。また、金融機関において利用者が期間限定の用途ごとに口座を開設した場合、用途がなくなった場合には休眠口座となる可能性があるため、休眠口座の数が増加するという問題がある。
【０００５】
本開示は、斯かる事情に鑑みてなされたものであり、その目的とするところは、振込手続きを容易にし、休眠口座の発生を抑制することができる振込処理方法、情報処理装置及びコンピュータプログラムを提供することにある。
【課題を解決するための手段】
【０００６】
本開示の一実施形態に係る振込処理方法は、貯蓄機能を有する口座に対応して貯蓄機能を有さない仮想口座を記憶し、該仮想口座を振込先とする複数の振込人からの振込を受け付け、前記仮想口座から前記口座を特定し、特定した前記口座に対して、前記振込に対応する振込処理を行う処理をコンピュータに実行させる。
【０００７】
本開示の一実施形態によれば、仮想口座の開設者は仮想口座の番号を振込人に通知することで、金融機関の貯蓄機能のある口座番号を個別に通知することなく、振込人に振込手続を依頼して、振込処理を行うことができる。また、仮想口座の番号のみを振込人に通知することにより振込処理を完了できるので、金融機関の口座番号等を通知する必要がなくなり、利用者は自身の貯蓄機能のある口座番号を公開しないようにすることができる。
更に、振込人からの振込処理を、仮想口座を介して行うので振込人が指定した口座を開設する必要がない。したがって、期間限定の用途のために開設される休眠口座の発生を防止することができる。
以上より、振込手続きを容易にし、休眠口座の発生を抑制することができる。
【０００８】
本開示の一実施形態に係る振込処理方法は、前記仮想口座は複数の口座に対応付けられており、前記複数の口座の内、前記振込処理が行われる一の口座を特定するルールを記憶し、前記仮想口座への振込を受け付けた場合、前記ルールに従って前記口座に振込を行う。
【０００９】
本開示の一実施形態によれば、振込処理について予めルールを設定することでより容易に振込処理を行うことができる。
【００１０】
本開示の一実施形態に係る振込処理方法は、各口座と、前記振込人を識別する情報、又は前記振込処理における金額、日時若しくはキーワードとを対応付けるルールを記憶する。
【００１１】
本開示の一実施形態によれば、ルールを良好に設定することができる。
【００１２】
本開示の一実施形態に係る振込処理方法は、前記口座は所定期間存続した後に閉鎖される期限付き口座である。
【００１３】
本開示の一実施形態によれば、期限付き口座を振込処理の対象の口座とすることができる。
【００１４】
本開示の一実施形態に係る情報処理装置は、貯蓄機能を有する口座に対応して貯蓄機能を有さない仮想口座を記憶する記憶部と、前記仮想口座を振込先とする複数の振込人からの振込を受け付ける受付部と、前記仮想口座から前記口座を特定する特定部と、該特定部が特定した前記口座に対しての前記振込に対応する振込処理に係る情報を出力する出力部とを備える。
【００１５】
本開示の一実施形態によれば、仮想口座の開設者は仮想口座の番号を振込人に通知することで、金融機関の貯蓄機能のある口座番号を個別に通知することなく、振込人に振込手続を依頼して、振込処理を行うことができる。また、仮想口座の番号のみを振込人に通知することにより振込処理を完了できるので、金融機関の口座番号等を通知する必要がなくなり、利用者は自身の貯蓄機能のある口座番号を公開しないようにすることができる。
更に、振込人からの振込処理を、仮想口座を介して行うので振込人が指定した口座を開設する必要がない。したがって、期間限定の用途のために開設される休眠口座の発生を防止することができる。
以上より、振込手続きを容易にし、休眠口座の発生を抑制することができる。
【００１６】
本開示の一実施形態に係るコンピュータプログラムは、コンピュータに、貯蓄機能を有する口座に対応する貯蓄機能を有しない仮想口座の登録を受け付け、前記仮想口座を振込先とする複数の振込人からの振込が行われた後に、振込が反映された前記口座の残高を表示する処理を実行させる。
【００１７】
本開示の一実施形態によれば、仮想口座の開設者は仮想口座の番号を振込人に通知することで、金融機関の貯蓄機能のある口座番号を個別に通知することなく、振込人に振込手続を依頼して振込処理を行うことができる。また、振込が行われた場合にその確認を行うことができる。以上より、振込手続きを容易にし、休眠口座の発生を抑制することができる。
【００１８】
本開示の一実施形態に係るコンピュータプログラムは、前記仮想口座は複数の口座に対応付けられており、前記仮想口座からの振込処理が行われる一の口座を特定するルールの設定を受け付ける処理を実行させる。
【００１９】
本開示の一実施形態によれば、複数の振込人からの振込を仮想口座で受け付け、希望する口座に振込してもらうことができる。
【００２０】
本開示の一実施形態に係るコンピュータプログラムは、各口座と、前記振込人を識別する情報、又は前記振込処理における金額、日時若しくはキーワードとを対応付けるルールの設定を受け付ける。
【００２１】
本開示の一実施形態によれば、ルールを良好に設定することができる。
【００２２】
本開示の一実施形態に係るコンピュータプログラムは、前記口座は所定期間存続した後に閉鎖される期限付き口座が含まれる。
【００２３】
本開示の一実施形態によれば、期限付き口座に対する振込を、仮想口座を介して受けることができる。
【００２４】
本開示の一実施形態に係るコンピュータプログラムは、前記期限付き口座の閉鎖処理を受け付ける処理を実行させる。
【００２５】
本開示の一実施形態によれば、仮想口座の利用者は、期限付き口座の閉鎖処理を行うことができる。
【００２６】
本開示の一実施形態に係るコンピュータプログラムは、前記仮想口座の名義と、振込先口座とを含む振込依頼情報を受け付け、前記仮想口座を介した前記振込先口座への振込処理を行う処理を実行させる。
【００２７】
本開示の一実施形態によれば、仮想口座の利用者からの振込処理を、仮想口座を介して行うことができる。
【００２８】
本開示の一実施形態に係るコンピュータプログラムは、前記振込先口座への振込処理に伴って前記仮想口座に係る識別情報を出力する処理を実行させる。
【００２９】
本開示の一実施形態によれば、仮想口座を介した振込を受けた他人が、仮想口座の利用者を識別することができる。
【発明の効果】
【００３０】
本開示の一実施形態によれば、振込手続きを容易にし、休眠口座の発生を抑制することができる。
【図面の簡単な説明】
【００３１】
【図１】実施の形態１に係る情報処理システムの構成を示すブロック図である。
【図２】仮想口座作成処理の手順を示すフローチャートである。
【図３】仮想口座データベースのレコードレイアウトの一例を示す概念図である。
【図４】ルール設定の選択画面のイメージを示す説明図である。
【図５】ルール設定の選択画面のイメージを示す説明図である。
【図６】ルール設定処理の手順を示すフローチャートである。
【図７】ルール設定画面のイメージを示す説明図である。
【図８】ルールテーブルのレコードレイアウトの一例を示す概念図である。
【図９】振込処理の手順を示すフローチャートである。
【図１０】確認画面のイメージを示す説明図である。
【図１１】操作後の確認画面のイメージを示す説明図である。
【図１２】実施の形態２における送金ルール設定画面のイメージを示す説明図である。
【図１３】送金処理の手順を示すフローチャートである。
【図１４】第１送金処理画面のイメージを示す説明図である。
【図１５】第２送金処理画面のイメージを示す説明図である。
【図１６】実施の形態３における期限付き口座の閉鎖処理の手順を示すフローチャートである。
【図１７】実施の形態４に係る振込態様を示す概念図である。
【図１８】振込処理の手順を示すフローチャートである。
【図１９】手数料テーブルのレコードレイアウトの一例を示す概念図である。
【発明を実施するための形態】
【００３２】
以下、本開示に係る振込処理方法、情報処理装置及びコンピュータプログラムについてその実施の形態を示す図面に基づいて詳述する。
（実施の形態１）
以下、本発明の実施の形態を図面に基づいて説明する。図１は実施の形態１に係る情報処理システムの構成を示すブロック図である。情報処理システムは、サーバ装置１、受金者口座２、端末装置３を含む。本情報処理システムは、サーバ装置１が端末装置３からの情報に基づいて異なる金融機関における受金者口座への振込に係る処理を行う装置である。以下各構成について具体的に説明する。
【００３３】
サーバ装置１は、処理部１０と、記憶部１１と、大容量記憶部１２と、第１通信部１３及び第２通信部１４とを備える。処理部１０は、一又は複数のＣＰＵ（Central Processing Unit）、ＭＰＵ（Micro Processing Unit）等により構成され、サーバ装置１全体の動作を制御する。なお、サーバ装置１は分散したコンピュータにより構成してもよい。
【００３４】
記憶部１１は、ＲＯＭ（Read Only Memory）、ＲＡＭ（Random access memory）等を含んで構成され、処理部１０が実行する処理プログラム１１ａを記憶している。大容量記憶部１２は、例えばハードディスク等を含む大容量の記憶装置であり、複数の仮想口座４に関する情報等を記憶している。
【００３５】
仮想口座４は貯蓄機能を有しておらず、金融機関の口座等への振込手続に使用される口座である。ここで、貯蓄機能とは、銀行等の金融機関の利用者が預貯金を行う通常の口座であり、銀行のデータベース等に当該口座の番号及びその残高が記憶されているものを指す。大容量記憶部１２は、仮想口座ごとに、仮想口座の番号、開設者の氏名等の基本情報４０と、仮想口座における振込処理のルールを定めるルールテーブル４１を含む。
【００３６】
第１通信部１３は、所定の通信回線又はネットワークを介して受金者口座を管理するシステム等と双方向通信を行う。第２通信部１４は、所定の通信回線又はネットワークを介して端末装置３と双方向通信を行う。なお、第１通信部１３及び第２通信部１４は、一つの通信部として構成してもよい。
【００３７】
受金者口座は、本情報処理システムにおいて、仮想口座４からの振込における受金を行う口座であり、Ａ銀行口座２０、Ｂ銀行口座２１、期限付き口座２２及び電子マネー口座２３等の貯蓄機能を有する口座を含む。ここで、期限付き口座２２とは、貯蓄機能を有し、所定の期限が到来した場合にその閉鎖が行われる口座である。
【００３８】
端末装置３は、例えば、スマートフォン等の携帯端末装置であり、ＣＰＵ、ＭＰＵ等により構成される制御部３０と、ＲＯＭ、ＲＡＭ等を含んで構成される記憶部３１と、サーバ装置１との双方向通信を行う通信部３２と、端末装置３を操作するための入力を行う入力部３３と、画面の表示を行う表示部３４とを有する。記憶部３１には、本情報処理システムを利用するためのアプリケーションプログラム３１ａを記憶する。なお、端末装置３は、タブレット装置、パーソナルコンピュータ等その他の装置であってもよい。
【００３９】
本情報処理システムは、端末装置３からの要求によりサーバ装置１において仮想口座４を作成し、仮想口座４の所有者が自身の受金者口座への振込人に対し仮想口座番号を通知し、振込人が仮想口座４に対して振込を行うことで、仮想口座４を介して指定した受金者口座２で受金するシステムである。また、本情報処理システムは、仮想口座４を振込先とする複数の振込人からの振込を受け付け、夫々の振込について指定した受金者口座２で受金するシステムである。
【００４０】
図２は、仮想口座作成処理の手順を示すフローチャートである。仮想口座作成処理は、例えば、端末装置３にアプリケーションプログラム３１ａがダウンロードされ、当該アプリケーションプログラム３１ａが最初に起動された場合に、端末装置３及びサーバ装置１により実行される。
【００４１】
端末装置３の制御部３０は、仮想口座４の作成に必要な入力情報の入力画面を表示部３４に表示させる（Ｓ１）。ここで、入力情報は、利用者の氏名、仮想口座４に対応する受金者口座２として登録する口座の口座番号等、仮想口座の作成に必要な情報である。該入力画面において端末装置３の所有者は、入力部３３を介して入力情報を入力可能な状態となる。制御部３０は、入力画面にて入力された入力情報を受け付ける（Ｓ２）、制御部３０は、通信部３２を介して受け付けた入力情報をサーバ装置１に送信する（Ｓ３）。
【００４２】
サーバ装置１は、端末装置３から送信された入力情報を受信する（Ｓ４）。サーバ装置１は、受信した入力情報に基づいて仮想口座４の作成を行う（Ｓ５）。仮想口座４の作成は、作成する仮想口座４に固有の仮想口座番号を割り当て、仮想口座番号及び登録情報を含む基本情報４０と、自動で作成するデフォルトのルールを含むルールテーブル４１とを対応させて大容量記憶部１２に記憶させることにより行う。
【００４３】
また、大容量記憶部１２は、各仮想口座４に受金者口座２を対応させて記憶している仮想口座データベースを有する。図３は、仮想口座データベースのレコードレイアウトの一例を示す概念図である。仮想口座データベースは、図３に示すように、仮想口座に対応して一又は複数の受金者口座２に係る金融機関及びその口座番号を記憶している。
【００４４】
サーバ装置１は、仮想口座４の作成が完了した後、仮想口座４の作成の完了情報を端末装置３に送信する（Ｓ６）。完了情報には、仮想口座番号及びデフォルトのルールの内容等が含まれている。
【００４５】
制御部３０は、完了情報を受信し（Ｓ７）、仮想口座４の作成完了と、仮想口座番号、デフォルトのルールを含む登録情報を端末装置３の表示部３４に表示させて仮想口座の作成の完了の通知を行う（Ｓ８）。その後、制御部３０は、仮想口座４を利用した振込におけるルールの設定を行うか否かについて選択する設定選択画面を表示させる（Ｓ９）。
【００４６】
図４及び図５は、ルール設定の選択画面のイメージを示す説明図である。図４に示すように、選択画面は、ルールの設定を新規に行う「新規ルール設定」、登録済みのルールの変更を行う「登録済みのルール変更」のリンクを表示する。また、登録済みのルールを確認する「登録済みのルール」のリンクも表示する。利用者は、新しくルールを設定する場合、「新規ルール設定」の項目を選択することにより、ルールの設定要求を行うことができる。選択画面は、アプリケーションプログラム３１ａによる案内画面に従った利用者の端末装置３の操作によってもアクセスすることができる。
【００４７】
図４の画面は仮想口座４の作成当初における選択画面であり、登録されたルールはデフォルトのルールのみであるが、後述の処理によりルールを設定した場合は、図５のように「Ａからの振り込み」「Ｂからの振り込み」といった項目が表示される。
【００４８】
その後、制御部３０はルールの設定要求があったか否かを判定する（Ｓ１０）。制御部３０は、設定要求があった場合（Ｓ１０：ＹＥＳ）、後述のルール設定処理（Ｓ１１）を行った後、仮想口座４の作成処理を終了する。また、制御部３０は、設定要求がなかった場合（Ｓ１０：ＮＯ）、仮想口座４の作成処理を終了する。このとき所定時間経過後にアプリケーションから自動でログアウト等するようにしてもよい。
【００４９】
制御部３０は、図４及び図５に示すルール設定の選択画面においてルールの設定要求があった場合にルール設定処理を行う。図６は、ルール設定処理の手順を示すフローチャートである。
【００５０】
制御部３０は、ルール設定画面を表示部３４に表示する（Ｓ２１）。図７は、ルール設定画面のイメージを示す説明図である。図７は、図４又は図５の選択画面において、「新規ルール設定」を選択した場合のルール設定画面である。
【００５１】
図７に示すように、ルール設定画面は、振込元の口座、銀行、金額、日時、スタンプ及びキーワード、受金者口座２として指定される口座等を含むルール情報を選択する画面である。ルール設定画面で選択される項目は、例えばプルダウンメニューから入力する。受金者口座２として指定される口座は複数の口座が表示され、該複数の口座から一の口座を選択することができる。これにより、振込元の口座、銀行、金額、日時、スタンプ及びキーワードにおいて選択された内容と、受金者口座２として指定される口座とが対応付けられる。
【００５２】
振込元の口座及び銀行の項目を設定することにより、振込人が金融機関の銀行口座から仮想口座４への振込を行った場合に、振込人の銀行口座の口座番号及び銀行名に基づいて、仮想口座４からの振込が行われる受金者口座２が特定される。
金額及び日時の項目を設定することにより、定期的に定額を振込人が振込を行う場合（例えば、毎月の家賃、毎月の仕送り、毎月の定期購入の商品の代金）に利用でき、振込金額及び振込日時に基づいて、仮想口座４からの振込が行われる受金者口座２が特定される。
【００５３】
また、スタンプの項目を設定することにより、振込人がスマートフォンを利用して仮想口座４への振込に併せて設定された種類のスタンプが送信されている場合に、該スタンプを認識して仮想口座４からの振込が行われる受金者口座２が特定される。
また、キーワードの項目を設定することにより、振込人が例えば銀行のＡＴＭ（automated teller machine）においてキーワードを入力した場合に、該キーワードを認識して仮想口座４からの振込が行われる受金者口座２が特定される。
【００５４】
なお、キーボードにより、直接語句を入力する態様であってもよい。また、ルールは、振込元の口座、銀行、金額、日時、スタンプ又はキーワードのいずれか１以上の項目を対応付けに用いる態様、又は全ての項目を対応付けに用いる態様のいずれであってもよい。
【００５５】
制御部３０は、上記の画面で入力されたルール情報を受け付け（Ｓ２２）、受け付けたルール情報を、仮想口座番号等とともにサーバ装置１に送信する（Ｓ２３）。サーバ装置１はルール情報を受信し（Ｓ２４）、処理部１０は受信したルール情報に係る仮想口座４を特定する（Ｓ２５）。サーバ装置１は、特定した仮想口座４に対応付けてルール情報を固有の番号を割り当てて、大容量記憶部１２のルールテーブル４１において記憶させる（Ｓ２６）。
【００５６】
その後、処理部は、ルール設定の完了を示す完了情報を送信し（Ｓ２７）、端末装置３は完了情報を受信する（Ｓ２８）。端末装置３の制御部３０は、設定が完了したルールについて記憶部３１に記憶させ（Ｓ２９）、設定完了を示す情報を端末装置３の画面に表示させ、設定完了の通知を行う（Ｓ３０）。記憶部３１に記憶させたルールの内容は、上記の選択画面から確認可能である。
【００５７】
図８は、ルールテーブル４１のレコードレイアウトの一例を示す概念図である。ルールテーブル４１においては、ルール毎に対応させて、受金者口座２に係る銀行名及び口座番号、振込の金額、日時、スタンプ及びキーワード並びに振込元の口座を対応付けて記憶している。
【００５８】
図９は、振込処理の手順を示すフローチャートである。本情報処理システムは、上述のように作成された仮想口座４を利用して下記のように振込処理を行う。振込処理は、例えば、仮想口座４の所有者が振込人に自身の仮想口座４の仮想口座番号を通知し、振込人が銀行窓口又はＡＴＭ等から当該仮想口座４に振込を行った場合に実行される。仮想口座４への振込が行われた場合、例えば振込元の銀行などのシステムからサーバ装置１に通知が送信される。
【００５９】
サーバ装置１は、通知された振込に関する振込元情報を振込元の銀行のシステム等から取得する（Ｓ４１）。振込元情報は、振込人の名義、振込元の口座番号、振込先の仮想口座番号、振込日時等である。その後、サーバ装置１は、仮想口座４を特定し（Ｓ４２）、特定した仮想口座４に対応するルールテーブル４１を参照し（Ｓ４３）、受金者口座２において当該振込に関して受金を行う口座を振込先として特定する（Ｓ４４）。ここで、仮想口座４の利用者が設定したルールに当てはまらない振込については、デフォルトのルールが適用される。デフォルトのルールの適用において、例えば図８に示すデフォルトのルールによりＡ銀行に振込が行われる。
【００６０】
サーバ装置１は、前記振込元情報、特定した振込先の口座番号等を含む振込情報を振込先の口座に係る銀行等のシステムに送信する（Ｓ４５）。銀行等のシステムは振込情報を受信し（Ｓ４６）、振込情報に係る振込処理を行う（Ｓ４７）。銀行のシステムは、振込処理の完了情報をサーバ装置１に送信する（Ｓ４８）。
【００６１】
サーバ装置１は、完了情報を受信し（Ｓ４９）、受信した完了情報を端末装置３に送信する（Ｓ５０）。
【００６２】
端末装置３の制御部３０は、完了情報を受信し（Ｓ５１）、受信した情報を、記憶部３１に記憶させ（Ｓ５２）、仮想口座４の利用者が振込処理の完了を確認する操作を促す確認画面を表示させる（Ｓ５３）。
【００６３】
図１０は、確認画面のイメージを示す説明図である。図１１は、操作後の確認画面のイメージを示す説明図である。確認画面には、例えば図１０に示すように振込人（図中「仮想太郎」）、振込元の「口座番号」、「振込み額」及び「適用したルール」と、振込により受金した受金者口座２の残高（図中「￥３４，５００」）と、登録済の受金者口座２の銀行名（図中「Ａ銀行」「Ｂ銀行」「Ｃ銀行」）と、現在までの振込取引を示す「全口座取引一覧」と、利用者が確認したことを示す操作を行う「確認」のアイコンとが表示される。
【００６４】
制御部３０は、端末装置３の利用者が「確認」アイコンを入力部３３により選択して確認操作を行ったか否かを判定する（Ｓ５４）。制御部３０は、確認操作を行ったと判定した場合（Ｓ５４：ＹＥＳ）、図１１に示す画面を表示し、仮想口座４の名義人（図中「仮想三郎」）、「仮想口座番号」、登録口座の残高合計（図中「残高合計￥３６，０００」）等を表示し（Ｓ５５）、処理を終了する。図１０及び１１に示す画面において、例えば、取引があった銀行の部分が点滅するようにしてもよい。
【００６５】
制御部３０は、確認操作を行っていないと判定した場合（Ｓ５４：ＮＯ）、処理を終了する。このとき、所定時間経過後にアプリケーションプログラム３１ａの起動画面への移行、又はログアウト等の処理を行ってもよい。
【００６６】
以上の構成によれば、仮想口座４の番号を振込人に通知することで振込処理を行うことができ、銀行の口座番号等を教える必要がなく、個人情報の拡散が防止される。また、振込人が指定した口座を開設する必要がなく、休眠口座の発生を防止することができる。
【００６７】
（実施の形態２）
実施の形態２における情報処理システムにおいては、仮想口座４の利用者が仮想口座４を利用して他人の金融機関の口座等に入金処理を行うことが可能である。実施の形態２における情報処理システムの構成について実施の形態１と同様の構成については同一の符号を付して詳細な説明を省略する。
【００６８】
実施の形態２のアプリケーションプログラム３１ａには、仮想口座４からの振込を行うプログラムが含まれている。仮想口座４の利用者は、端末装置３により仮想口座４からの振込に関するルール設定を行う。ここで、利用者の情報は、仮想口座４の作成時に入力したデータを使用する。
【００６９】
仮想口座４からの振込に関するルールの設定画面は、実施の形態１におけるルールの設定画面の表示と同様の操作により表示される。図１２は、実施の形態２における送金ルール設定画面のイメージを示す説明図である。ここで、仮想口座４の利用者は、図１２に示すように、例えば振込先の口座、銀行、金額、日時、スタンプ及びキーワード、振込元として指定する受金者口座２とを、プルダウンメニューにより入力する。振込先の口座は、例えば仮想口座４の作成時又はその後個別にサーバ装置１に対して予めリストの作成を行うことしてもよい。なお、上記項目は、キーボードにより直接語句を入力する態様であってもよい。
【００７０】
制御部３０は、例えば、制御部３０は、振込先が仮想口座４の利用者である場合の該利用者の端末装置３、又は金融機関のシステム等からサーバ装置１を介して振込要求があった場合、以下の送金処理を行う。
【００７１】
また、制御部３０は、仮想口座４からの振込に関するルール設定において設定した振込日時に基づいて予め設定された日時（例えば、振込日時の１週間前等）になった場合、又はアプリケーションプログラム３１ａにおける画面表示に従って仮想口座４からの振込の要求を行った場合に以下の送金処理を行う。
【００７２】
図１３は、送金処理の手順を示すフローチャートである。制御部３０は、振込の内容の処理画面を表示部３４に表示する（Ｓ６１）。図１４は、第１送金処理画面のイメージを示す説明図である。図１５は、第２送金処理画面のイメージを示す説明図である。
【００７３】
制御部３０は、仮想口座４の利用者の端末装置３又は金融機関のシステム等からサーバ装置１を介して送金要求があった場合には、図１４に示す第１送金処理画面を自動で表示する。第１送金処理画面においては、振込先の名義人（図１４中「Ｃさんからの振込依頼」）、「支払期日」及び「振込金額」を含む情報と、「ルール」の種類、振込元口座（図１４中「Ａ銀行口座」）、振込金額（図１４中「１５，０００」）が表示されている。また、これらの情報を変更するための「変更する」アイコンが表示されており、「変更する」アイコンから例えばプルダウンメニューにより変更情報を入力することができる。更に、端末装置３の画面には、振込内容を決定する操作を行うための「決定」アイコンとが表示される。
【００７４】
また、予め設定された日時になった場合、又は画面表示に従って仮想口座４からの振込の要求を入力部３３により行った場合には、図１５に示す第２送金処理画面を表示部３４に表示する。第２送金処理画面においては、振込先の名義人（図１５中「Ｂさん」）、及び「振込金額」を含む情報と、「ルール」の種類、振込元口座（図１５中「Ａ銀行口座」）、振込金額（図１５中「１０，０００」）が表示されている。また、これらの情報を変更するための「変更する」アイコンが表示されており、「変更する」アイコンから例えばプルダウンメニューにより変更情報を入力することができる。更に、端末装置３の画面には、振込内容を決定する操作を行うための「決定」アイコンとが表示される。
【００７５】
制御部３０は、第１送金処理画面又は第２送金処理画面において「決定」アイコンが操作され、決定操作が行われたか否かを判定する（Ｓ６２）。制御部３０は、決定操作が行われていないと判定した場合（Ｓ６２：ＮＯ）、処理をステップＳ６２に戻す。制御部３０は、決定操作が行われたと判定した場合（Ｓ６２：ＹＥＳ）、端末装置３の利用者が第１送金処理画面又は第２送金処理画面において入力した情報を取得する（Ｓ６３）。
【００７６】
その後、制御部３０は、通信部３２を介して取得した情報に基づいて仮想口座４を介した振込処理のための情報を生成して、サーバ装置１に送信する（Ｓ６４）。生成した情報には、仮想口座の名義、仮想口座番号等、仮想口座に係る識別情報と、振込先口座に係る情報とが含まれる。その後、制御部３０は振込処理の手続きの終了を画面に表示する等により利用者に通知して（Ｓ６５）処理を終了する。制御部３０から情報を受信したサーバ装置１は、振込先の銀行のシステム等に前記情報を送信して振込処理の依頼を行う。
【００７７】
以上の構成によれば、仮想口座４を利用して入金処理を行うことができ、振込先が指定した口座に容易に入金することができる。
【００７８】
（実施の形態３）
実施の形態３における情報処理システムは、期限付き口座２２の閉鎖処理を行う。実施の形態３における情報処理システムの構成について実施の形態１と同様の構成については同一の符号を付して詳細な説明を省略する。
【００７９】
実施の形態１の受金者口座２として、期限付き口座２２があるが、実施の形態３においては、サーバ装置１が該期限付き口座２２に関する情報を仮想口座４に併せて所有し、その閉鎖期限等を管理している。
【００８０】
期限付き口座２２は、貯蓄機能を有し、所定の閉鎖期限が到来した場合にその閉鎖が行われる口座である。サーバ装置１は、閉鎖期限に基づいて設定された日時（例えば、閉鎖期限の１週間前）に当該期限付き口座２２の閉鎖期限及び残高等を含む情報を端末装置３に送信する。端末装置３は、当該情報を受信した場合に以下の期限付き口座２２の閉鎖処理を行う。
【００８１】
図１６は、実施の形態３における期限付き口座２２の閉鎖処理の手順を示すフローチャートである。端末装置３の制御部３０は、サーバ装置１から受信した情報に基づいて、期限付き口座２２の閉鎖期限及び残高を画面に表示する等して利用者に通知する（Ｓ７１）。このとき、制御部３０は、利用者に当該画面を確認したことを示す操作を行うためのアイコン等を表示部３４に表示する。
【００８２】
その後、制御部３０は、利用者が確認操作を行ったか否かを判定する（Ｓ７２）。制御部３０は、利用者が確認操作を行ったと判定した場合（Ｓ７２：ＹＥＳ）、その旨の情報をサーバ装置１に送信し（Ｓ７３）、手続きが終了したことを画面表示などで利用者に通知し（Ｓ７４）、処理を終了する。情報を受信したサーバ装置１は、期限付き口座２２の残高分の金額を利用者の受金者口座２のいずれかに移す依頼を銀行システム等に依頼し、期限付き口座２２を閉鎖する。制御部３０は、利用者が確認操作を行っていないと判定した場合（Ｓ７２：ＮＯ）、処理をステップＳ７２に戻す。
【００８３】
以上の構成によれば、仮想口座４の作成と併せて期限付き口座の閉鎖手続きを行うことができる。また、利用者が期限付き口座２２に金銭が貯蓄されていることを知らない場合に、その旨の通知を行い、期限付き口座２２の閉鎖処理をスムーズに行うことができる。
【００８４】
（実施の形態４）
実施の形態４における情報処理システムは、振込元及び振込先が仮想口座である振込態様に関する。実施の形態４における情報処理システムの構成について実施の形態１及び２と同様の構成については同一の符号を付して詳細な説明を省略する。
【００８５】
実施の形態４においては、仮想口座４のルールの設定において特定の振込人からの振込に対して複数の受金者口座２を設定できる。また、実施の形態２と同様に、受金者口座２を振込元として仮想口座４を介して他人の口座等への振込が可能である。
【００８６】
図１７は、実施の形態４に係る振込態様を示す概念図である。図１７に示すように、実施の形態４においては、振込元仮想口座４ａから振込先仮想口座４ｂに対して振込を行うことにより、振込元仮想口座４ａ及び振込先仮想口座４ｂを介して、これらに対応する受金者口座２の間での振込を行う。振込元仮想口座４ａには、受金者口座２としてＡ銀行口座２４ａ，Ｂ銀行口座２５ａ，Ｃ銀行口座２６ａ，Ｄ銀行口座２７ａが対応付けられている。また、振込先仮想口座４ｂには、受金者口座２としてＡ銀行口座２４ｂ，Ｂ銀行口座２５ｂ，Ｃ銀行口座２６ｂ，Ｄ銀行口座２７ｂが対応付けられている。
【００８７】
したがって、Ａ銀行口座２４ａ，Ｂ銀行口座２５ａ，Ｃ銀行口座２６ａ，Ｄ銀行口座２７ａの何れかからＡ銀行口座２４ｂ，Ｂ銀行口座２５ｂ，Ｃ銀行口座２６ｂ，Ｄ銀行口座２７ｂの何れかに対して、振込元仮想口座４ａから振込先仮想口座４ｂを介して送金が行われる。なお、受金者口座２として対応付けられている口座はこれらの口座に限られない。
【００８８】
図１８は、振込処理の手順を示すフローチャートである。図１９は、手数料テーブルのレコードレイアウトの一例を示す概念図である。サーバ装置１の処理部１０は、例えば、実施の形態２の図１３におけるステップＳ６４の処理のように、振込元仮想口座４ａの所有者から端末装置３のアプリケーションプログラム３１ａにより送信された、振込元仮想口座４ａからの振込情報を受信した場合に、図１８に示す振込処理を行う。
【００８９】
大容量記憶部１２には、図１９に示す手数料テーブルが記憶されており、振込元の金融機関の口座から振込先金融機関の口座に振込を行う場合の手数料が記憶されている。なお、手数料テーブルに示した金額は例示であって、実際の金融機関において設定されている金額を手数料テーブルとして記憶していればよく、また、手数料は、キャッシュカード、インターネット等の振込の態様ごとに定められていてもよい。
【００９０】
サーバ装置１の処理部１０は、第２通信部１４にて受信した振込情報を基本振込情報として取得する（Ｓ１０１）。基本振込情報は、振込元仮想口座４ａ、振込元仮想口座４ａに対応する受金者口座２の中の送金を行う金融機関の口座、振込先に関する情報、及び振込金額等を含む。処理部１０は、基本振込情報に基づいて振込先が仮想口座４であるか否かを判定する（Ｓ１０２）。
【００９１】
処理部１０は、振込先が仮想口座４でないと判定した場合（Ｓ１０２：ＮＯ）、基本振込情報を、振込元仮想口座４ａに対応付けられた受金者口座２の内、送金におけるルールによって選択されている口座の金融機関等のシステムに送信して（Ｓ１０３）、処理を終了する。基本振込情報を受信した金融機関等のシステムは、基本振込情報に基づいて振込処理を行う。
【００９２】
処理部１０は、振込先が仮想口座４であると判定した場合（Ｓ１０２：ＹＥＳ）、当該仮想口座４を振込先仮想口座４ｂとして特定する（Ｓ１０４）。処理部１０は、振込先仮想口座４ｂにおいて設定されている受金におけるルールに基づいて、振込先仮想口座４ｂに対応付けられている受金者口座２の中から、入金される口座を振込先候補として決定する（Ｓ１０５）。
【００９３】
ここで、振込先仮想口座４ｂにおいて、振込元仮想口座４ａの所有者からの振込に対して単一の振込先がルールにより設定されている場合には、当該振込先のみが振込先候補となり、また、複数の振込先がルールにより設定されている場合、設定された振込先すべてが振込先候補となる。
【００９４】
処理部１０は、振込先候補が複数であるか否かを判定する（Ｓ１０６）。処理部１０は、振込先候補が複数であると判定した場合（Ｓ１０６：ＹＥＳ）、図１９に示す手数料テーブルを参照し（Ｓ１０７）、振込先候補の中から、振込元仮想口座４ａに対応付けられた受金者口座２の内の指定された口座からの振込における手数料が最も安くなる振込先を決定する（Ｓ１０８）。
【００９５】
例えば、振込元仮想口座４ａの受金者口座２の内、Ａ銀行口座２４ａが振込元とされ、振込先仮想口座４ｂにおいてＡ銀行口座２４ｂ（図１９中、手数料１００円）及びＢ銀行口座２５ｂ（図１９中、手数料２５０円）が振込先候補とされている場合、手数料がより安くなるＡ銀行口座２４ｂが振込先として決定される。
【００９６】
処理部１０は、振込先候補が複数でないと判定した場合（Ｓ１０６：ＮＯ）、当該振込先候補を振込先として決定する（Ｓ１０８）。
【００９７】
処理部１０は、振込先を決定した後、決定した振込先の金融機関の口座と、基本振込情報とを含む変更振込情報を、振込元の口座に係る金融機関等のシステムに送信して（Ｓ１０９）、処理を終了する。変更振込情報を受信した金融機関等のシステムは、変更振込情報に基づいて振込処理を行う。これにより、決定された振込元仮想口座４ａに係る受金者口座２から、振込先仮想口座４ｂに係る受金者口座２に対して、振込元仮想口座４ａから振込先仮想口座４ｂを介して振込処理が行われる。
【００９８】
以上の構成によれば、振込先及び振込元が仮想口座４の所有者である場合、仮想口座４に対応付けられた金融機関の口座同士の振込における手数料が、より安くなるように振込を行うことができる。
【００９９】
今回開示された実施の形態はすべての点で例示であって、制限的なものではないと考えられるべきである。本開示の範囲は、上記した意味ではなく、特許請求の範囲によって示され、特許請求の範囲と均等の意味及び範囲内でのすべての変更が含まれることが意図される。即ち、請求項に示した範囲で適宜変更した技術的手段を組み合わせて得られる実施形態も本開示の技術的範囲に含まれる。
【符号の説明】
【０１００】
１  サーバ装置（情報処理装置）
１０  処理部（受付部、特定部）
１１  記憶部
１１ａ  処理プログラム
１２  大容量記憶部（記憶部）
１３  第１通信部（出力部）
１４  第２通信部
２  受金者口座
２０，２４ａ，２４ｂ  Ａ銀行口座
２１，２５ａ，２５ｂ  Ｂ銀行口座
２２  期限付き口座
２３  電子マネー口座
２６ａ，２６ｂ  Ｃ銀行口座
２７ａ，２７ｂ  Ｄ銀行口座
３  端末装置
３０  制御部
３１  記憶部
３１ａ  アプリケーションプログラム（コンピュータプログラム）
３２  通信部
３３  入力部
３４  表示部
４  仮想口座
４ａ  振込元仮想口座
４ｂ  振込先仮想口座
４０  基本情報
４１  ルールテーブル
【図１】
2020021271.tif 000003
【図２】
2020021271.tif 000004
【図３】
2020021271.tif 000005
【図４】
2020021271.tif 000006
【図５】
2020021271.tif 000007
【図６】
2020021271.tif 000008
【図７】
2020021271.tif 000009
【図８】
2020021271.tif 000010
【図９】
2020021271.tif 000011
【図１０】
2020021271.tif 000012
【図１１】
2020021271.tif 000013
【図１２】
2020021271.tif 000014
【図１３】
2020021271.tif 000015
【図１４】
2020021271.tif 000016
【図１５】
2020021271.tif 000017
【図１６】
2020021271.tif 000018
【図１７】
2020021271.tif 000019
【図１８】
2020021271.tif 000020
【図１９】
2020021271.tif 000021